(57)【特許請求の範囲】
【請求項１】
光情報格納媒体の再生記録領域と前記再生記録領域の周辺記録領域に参照光が共に入射されるようにする参照光提供部と、
前記周辺記録領域から再生される周辺光を反射させる反射膜、及び前記再生記録領域から再生される再生光を通過させる貫通溝を有する光分離器、
前記光情報格納媒体と前記光分離器との間に配置され、反射された前記周辺光をさらに反射する偏光光分割器、
前記偏光光分割器と前記光分離器との間に配置される波長板、及び
前記偏光光分割器で反射された前記周辺光の光経路上に配置され、前記周辺光を検出する周辺光検出器
を有する周辺光検出部と、
前記周辺光検出器で検出された前記周辺光の光情報から光強度を分析し、分析された前記光強度に基づき前記周辺光検出部の位置を調整して前記再生光のトラッキング位置を調整するトラッキングサーボ部と、
前記光分離器を通過した前記再生光を検出する再生光検出部と
を備えることを特徴とする光情報再生装置。
【請求項２】
前記トラッキングサーボ部は、
検出された前記周辺光の光情報から光強度を分析し、分析された光強度に基づき前記再生光のトラッキング位置を判別するトラッキング位置判別部と、
前記トラッキング位置判別部の前記トラッキング位置判別結果によって前記トラッキング位置調整のために前記周辺光検出部の位置を制御する制御信号を発生させるトラッキング位置制御部と、
前記トラッキング位置制御部から印加される前記制御信号によって前記トラッキング位置の調整のために前記周辺光検出部の位置の調整を遂行するトラッキング位置調整部とを備えることを特徴とする請求項１記載の光情報再生装置。
【請求項３】
前記周辺光検出部は、前記周辺光を検出するための均等な大きさに分割された光検出領域を備え、
前記トラッキングサーボ部は前記分割された前記光検出領域で検出される光強度を比較して前記トラッキング位置を判別することを特徴とする請求項１記載の光情報再生装置。
【請求項４】
前記周辺光検出部は、複数個の前記周辺光を検出するための複数個の等しい大きさの光検出領域を備え、
前記トラッキングサーボ部は、複数個の前記光検出領域で各々検出される光強度を比較し、検出された前記光強度が所定の値よりも小さい前記光検出領域に位置するトラックを前記光情報格納媒体の最初トラック及び最終トラックのうちいずれか一つとして検出することを特徴とする請求項１記載の光情報再生装置。
【請求項５】
複数個の前記光検出領域は、それぞれ均等な大きさに分割された光検出領域を有し、前記光強度は前記分割された各光検出領域で検出される光強度の和であることを特徴とする請求項４記載の光情報再生装置。
【請求項６】
光情報格納媒体の再生記録領域と前記再生記録領域の周辺記録領域に参照光を共に入射させ、
周辺光検出部において、
前記周辺記録領域から再生される周辺光を反射膜で反射させ、前記再生記録領域から再生される再生光を通過させ、
さらに前記周辺光を偏光光分割器で反射させ、
前記偏光光分割器で反射された前記周辺光の光経路上で前記周辺光を検出し、
検出された前記周辺光の光強度を分析し、
前記周辺光検出部の位置を調整して前記再生光のトラッキング位置を調整し、
再生光検出部において、前記周辺光検出部を通過した前記再生光を検出することを特徴とする光情報再生方法。
【請求項７】
前記周辺光の検出は、
均等な大きさに分割された光検出領域で行われることを特徴とする請求項６記載の光情報再生方法。
【請求項８】
前記トラッキング位置の調整は、
均等な大きさに分割された前記光検出領域で各々検出された光強度の差異を分析して前記トラッキング位置を判別することを特徴とする請求項７記載の光情報再生方法。
【請求項９】
均等な大きさに分割された前記光検出領域で各々検出された光強度の差異が所定の値未満であれば前記トラッキング位置について前記光強度の差異を減らす調整が不要であると判別し、前記光強度の差異が前記所定の値以上であれば前記トラッキング位置について前記光強度の差異を減らす調整が必要であると判別することを特徴とする請求項８記載の光情報再生方法。
【請求項１０】
均等な大きさに分割された前記光検出領域で各々検出された光強度の差異が所定の値以上である場合、前記光強度の差異を減らす方向に前記トラッキング位置を調整することを特徴とする請求項８記載の光情報再生方法。
【請求項１１】
前記周辺光の検出は、
複数個の等しい大きさの光検出領域で複数個の前記周辺光を各々検出し、検出された光強度を比較し、検出された前記光強度が所定の値よりも小さい前記光検出領域に位置するトラックを前記光情報格納媒体の最初トラック及び最終トラックのうち少なくともいずれか一つとして検出することを特徴とする請求項６記載の光情報再生方法。
【請求項１２】
複数個の前記光検出領域は、それぞれ均等に分割された光検出領域を有し、前記光強度は各分割された光検出領域で各々検出された光強度の和であり、
複数個の前記光検出領域で各々検出された前記光強度の差異が所定の値以上である場合、前記光情報格納媒体の最初トラック又は最終トラックのうちいずれか一つであると判別することを特徴とする請求項１１記載の光情報再生方法。
【発明の詳細な説明】
【技術分野】
【０００１】
本発明は光情報再生装置及び光情報再生方法に関するものであり、より詳しくは、光情報再生時再生を所望の再生光と隣接した周辺光の光情報を用いてトラッキング位置を制御できる光情報再生装置及び光情報再生方法に関するものである。
【背景技術】
【０００２】
一般的に、光情報を格納する光情報格納装置ではＣＤ、ＤＶＤ、ＨＤ-ＤＶＤ、ブルーレイディスク（ＢＤ）などがある。
【０００３】
最近になって、情報及び電算産業の発達が急速になることに応えて大容量格納能力及びデータの高速入出力を満たすことができる次世代格納システムに対する要求が増大している。
【０００４】
このような要求によって最も注目されているシステムのうちの一つがボリュームホログラフィ（Ｖｏｌｕｍｅｈｏｌｏｇｒａｐｈｙ）の原理を用いた光処理システム、すなわち、ホログラフィック（Ｈｏｌｏｇｒａｐｈｉｃ）光情報処理システムである。
【０００５】
ホログラフィック光情報処理システムは、光に敏感な感光性媒質の所定位置に互いに異なる入射角を有する２つの光を交差させれば、その２つの光の干渉によって発生される干渉パターンが感光性媒質に記録されるという原理から着眼されたシステムである。
【０００６】
すなわち、データ情報を含む信号光とその信号光と異なる角度から照射される参照光を感光性媒質である光情報格納媒体の所定位置で交差させれば、このとき発生する干渉パターンが光情報格納媒体に記録される。また、データ情報の再生時には記録された干渉パターンに参照光だけを照射し、このとき干渉パターンによって発生する回折イメージを用いて元来のデータを復元する。
【０００７】
このようなホログラフィック光情報処理システムは、多様な多重化技法を用いて光情報記録媒体の同一位置に３次元的にデータを重畳させて記録できる。このような重畳記録を利用すれば限定された面積に格納される容量を飛躍的に増加させることができ、超大容量の格納システムを具現できる。
【０００８】
このとき、上記多重化技法では、角度多重化、位相コード多重化、波長多重化、フラクタル多重化（ＦｒａｃｔａｌＭｕｌｔｉｐｌｅｘｉｎｇ）、シフト多重化、ぺリストロフィック多重化（Ｐｅｒｉｓｔｒｏｐｈｉｃ Ｍｕｌｔｉｐｌｅｘｉｎｇ）、ポリトピック多重化（Ｐｏｌｙｔｏｐｉｃ Ｍｕｌｔｉｐｌｅｘｉｎｇ）などがある。
【０００９】
ホログラフィック光情報処理システムは、このような多重化技法を適切に用いてデータの記録密度を高めようとする方向で研究が進められている。例えば、記録時には信号光の密度を高め、再生時には貫通溝が形成された光分離器を用いて所望の再生光は通過させ、残りの周辺光は遮断する方式に動作する。
【００１０】
ところが、このようなホログラフィック光情報処理装置は光分離器が有する貫通溝を通して再生光を通過させるため、装置の揺れなどのような環境変化に敏感である。
【００１１】
従って、正確なトラッキングサーボ（ＴｒａｃｋｉｎｇＳｅｒｖｏ）制御が要求される。すなわち、光情報の再生時に再生を所望の再生光が正確に検出されているかを検査し、トラック位置が正確でない場合、サーボ制御を通して正しい位置に移動させるプロセスが要求されることである。
【００１２】
仮に、このようなトラッキングサーボ制御が正しく行われない場合、所望の再生光がスロットが通過できなくて光検出器が光情報のイメージを正しく取得できなくなり、これは結局エラー率を増加させる原因になる。従って、ホログラフィック光情報再生時に正確かつ効率的なトラッキングサーボを遂行することができる技術が至急に要求されている。
【発明の開示】
【発明が解決しようとする課題】
【００１３】
本発明はこのような問題点を解決するためのものであり、本発明の第１目的は、光情報の再生時に周辺光の光情報を用いて効率的なトラッキングサーボ制御を遂行することによって正確な光情報の検出が可能な光情報再生装置を提供することにある。
【００１４】
また、本発明の第２目的は、光情報の再生時に周辺光の光情報を用いてトラッキングサーボ制御情報を検出できるようにする光情報再生装置のトラッキングサーボ制御装置を提供することにある。
【００１５】
また、本発明の第３目的は、光情報の再生時に周辺光の光情報を用いてトラッキング位置を制御できる光情報再生方法を提供することにある。
【課題を解決するための手段】
【００１６】
上記の目的を達成するための本発明の実施形態による光情報再生装置は、光情報格納媒体の再生記録領域と上記再生記録領域の周辺記録領域に参照光が共に入射されるようにする参照光提供部と、上記参照光により上記再生記録領域から再生される再生光は通過させ、上記周辺記録領域から再生される周辺光を検出する周辺光検出部と、検出された上記周辺光の光情報を分析し、トラッキング位置を制御するトラッキングサーボ部と、上記周辺光検出部を通過した上記再生光を検出する再生光検出部とを備える。
【００１７】
上記の目的を達成するための本発明の実施形態による光情報再生方法は、光情報格納媒体の再生記録領域と上記再生記録領域の周辺記録領域に参照光を共に入射させ、上記参照光により上記再生記録領域から再生される再生光は通過させ、上記周辺記録領域から再生される周辺光を検出し、検出された上記周辺光の光情報を分析し、トラッキング位置を制御し、上記周辺光検出部を通過した上記再生光を検出することを特徴とする。
【発明の効果】
【００１８】
以上説明した通り、本発明によれば光情報再生時に周辺光を活用して現在のトラッキング状態を判別し、その判別結果を用いてトラッキングサーボ制御を遂行することができる。従って、簡単な構造を通して効率的なトラッキングサーボ制御が行われることができ、このようなトラッキングサーボ制御を通してビットエラー率を減少させることによって再生データの信頼性を高めることができるという長所がある。
【発明を実施するための最良の形態】
【００１９】
以下、添付された図面を参照して光情報再生装置及びこれを用いた光情報再生方法の実施形態を詳細に説明する。
【００２０】
図１は本発明の一実施例による光情報再生装置を簡略に示す構成図である。
【００２１】
図１を参照し、光情報再生装置の一実施例を説明する。図示した通り、光情報再生装置は参照光提供部（１００）、周辺光検出部（２００）、トラッキングサーボ部（３００）及び再生光検出部（４００）を具備する。
【００２２】
光情報が記録された光情報格納媒体（１）はディスク形態を有する。光情報格納媒体（１）には多重化記録された複数のスポット（Ｓｐｏｔ）が存在する。各スポットは光情報が記録された記録領域を意味する。
【００２３】
参照光提供部（１００）は、光情報格納媒体（１）の再生を所望の再生記録領域及び再生記録領域の周辺記録領域に参照光（Ｒ）を共に照射する。光情報格納媒体（１）に参照光（Ｒ）が入射されることによって再生記録領域から再生光（Ｐｄ）が再生され、周辺記録領域から周辺光（Ｐｎ）が再生される。出射される再生光（Ｐｄ）及び周辺光（Ｐｎ）はＰ偏光を有することができる。Ｐ偏光を有する再生光（Ｐｄ）及び周辺光（Ｐｎ）は周辺光検出部（２００）に進行される。
【００２４】
周辺光検出部（２００）は、偏光光分割器（２４０）、光分離器（２６０）、λ／４波長板（２５０）及び周辺光検出器（２７０）を具備できる。周辺光検出部（２００）は第１レンズ（２１０）、第２レンズ（２２０）及び第３レンズ（２３０）をさらに具備する。
【００２５】
第２レンズ（２２０）と第３レンズ（２３０）は同じ焦点距離‘ｆ’を有する。第１レンズ（２１０）と第２レンズ（２２０）との間の距離は‘２ｆ’に定められることが望ましい。
【００２６】
光情報格納媒体（１）から出射される再生光（Ｐｄ）及び周辺光（Ｐｎ）は第１レンズ（２１０）を経て偏光光分割器（２４０）に伝達される。偏光光分割器（２４０）は第１レンズ（２１０）から伝達される再生光（Ｐｄ）及び周辺光（Ｐｎ）を透過させて第２レンズ（２２０）側に伝達する。
【００２７】
偏光光分割器（２４０）は光分割面（２４１）を有する。光分割面（２４１）はＰ偏光を有する光は透過させ、Ｓ偏光を有する光は反射させる。従って、第１レンズ（２１０）から伝達される再生光（Ｐｄ）及び周辺光（Ｐｎ）は第２レンズ（２２０）側に透過される。
【００２８】
光分離器（２６０）は第２レンズ（２２０）からその焦点距離‘ｆ’だけ離れた位置に備えられる。λ／４波長板（２５０）は第２レンズ（２２０）と光分離器（２６０）との間に備えられる。従って、第２レンズ（２２０）を通過した再生光（Ｐｄ）及び周辺光（Ｐｎ）はλ／４波長板（２５０）を経て光分離器（２６０）に伝達される。このとき再生光（Ｐｄ）及び周辺光（Ｐｎ）は光分離器（２５０）が設けられた位置で焦点が合わされるようになる。すなわち、再生光（Ｐｄ）及び周辺光（Ｐｎ）は光分離器（２６０）の位置で最小の大きさを有する。
【００２９】
図２は図１に示されている光分離器（２６０）の形態を示す斜視図である。
【００３０】
図１乃至図２を参照すれば、光分離器（６０）は板状の本体からなる。光分離器（６０）の中心には再生光（Ｐｄ）だけ通過できるように貫通溝（２６２）が形成される。
【００３１】
再生光（Ｐｄ）は貫通溝（２６０ａ）を通して光分離器（２６０）を通過した後、再生光検出部（４００）に伝達される。再生光検出部（４００）は再生光（Ｐｄ）の光情報を検出する。従って、検出された光情報を用いて再生光（Ｐｄ）に含まれているデータ情報を再生できる。
【００３２】
一方、光分離器（２６０）のλ／４波長板（２５０）と対面する面には所定大きさの反射膜（２６１）が形成される。反射膜（２６１）は本体表面に光を反射させることができる材質をコーティングすることによって実現できる。
【００３３】
反射膜（２６１）は、第２レンズ（２２０）から伝達される再生光（Ｐｄ）及び周辺光（Ｐｎ）のうち再生光（Ｐｄ）を除外した周辺光（Ｐｎ）をλ／４波長板（２５０）に反射する機能を遂行する。例えば、図２に示されたように反射膜（２６１）は多数個の再生光（Ｐｄ）及び周辺光（Ｐｎ）のうち再生光（Ｐｄ）を除外した８個の周辺光（Ｐｎ）を反射させることができる。
【００３４】
このように、光分離器（２６０）によって再生光（Ｐｄ）だけが選別されて再生光検出部（４００）に伝達され、残りの周辺光（Ｐｎ）は皆λ／４波長板（２５０）に反射される。
【００３５】
一方、λ／４波長板（２５０）に伝達された周辺光（Ｐｎ）はその偏光方向が変わってＳ偏光に変換される。すなわち、λ／４波長板（２５０）を通過した周辺光（Ｐｎ）が反射されてλ／４波長板（２５０）を再び通過することによってその偏光方向が変わる。
【００３６】
Ｓ偏光に変換された周辺光（Ｐｎ）は第２レンズ（２２０）を経て偏光光分割器（２４０）に伝達される。このとき、偏光光分割器（２４０）の光分割面（２４１）においては、Ｐ偏光は透過し、Ｓ偏光は反射させるので、Ｓ偏光に変換された周辺光（Ｐｎ）は第３レンズ（２３０）に反射される。
【００３７】
第３レンズ（２３０）に伝達された周辺光（Ｐｎ）はその焦点距離“ｆ’”だけ離隔された位置に備えられた周辺光検出器（２７０）上でその焦点が合う。このとき、“f’”は実施環境によって適切に設定されることができる数値である。“f'”は“f”と同一であることが望ましい。
【００３８】
周辺光検出器（２７０）は第３レンズ（２３０）から伝達される周辺光（Ｐｎ）の光情報を検出する。このとき、周辺光検出器（２７０）は分割された光検出領域を用いて周辺光（Ｐｎ）の光情報を検出できる。周辺光検出器（２７０）は光検出素子であるフォトダイオードを設けることによって実現できる。このような周辺光検出器（２７０）の構造を以下に詳細に説明する。
【００３９】
トラッキングサーボ部（３００）はトラッキング位置判別部（３１０）、トラッキング位置制御部（３２０）及びトラッキング位置調整部（３３０）を具備する。
【００４０】
トラッキング位置判別部（３１０）は、周辺光検出器（２７０）によって検出された周辺光（Ｐｎ）の光情報をモニターリングして現在のトラッキング状態を判別する。トラッキング位置判別部（３１０）は周辺光検出器（２７０）が有する分割された光検出領域によって各々検出された周辺光（Ｐｎ）の光強度（Intensity）を用いてトラッキング状態を判別する。
【００４１】
トラッキング位置制御部（３２０）はトラッキング位置判別部（３１０）によって判別されたトラッキング状態を考慮してトラッキング位置調整部（３３０）に制御信号を印加する。トラッキング位置調整部（３３０）は制御信号に応答して周辺光検出部（２００）の位置を調整する機能を遂行する。すなわち、トラッキング位置を調整する。
【００４２】
再生光検出部（４００）はトラッキングサーボ部（３００）により周辺光検出部（２００）の位置が制御された状態で周辺光検出部（２００）を通過した再生光（Ｐｄ）を検出する。
【００４３】
以下では図３を参照し、光情報再生装置の他の実施形態に対して説明する。ここで、光情報再生装置の他の実施形態は詳述された光情報再生装置の一実施例とその構成が類似する。従って、以下では詳述された構成要素と類似の構成要素に対しては同じ参照符号を付与し、詳細な説明は省略する。
【００４４】
図３は本発明の他の実施形態による光情報再生装置を示す構成図である。
【００４５】
図３に示されているように、光情報再生装置は、参照光提供部（１００）、周辺光検出部（２００）、トラッキングサーボ部（３００）及び再生光検出部（４００）を具備できる。周辺光検出部（６００）は光分離器（６３０）及び周辺光検出器（６７０）を備える。周辺光検出部（６００）は第１レンズ（６１０）及び第２レンズ（６２０）をさらに具備する。
【００４６】
参照光提供部（１００）により光情報格納媒体（１）に参照光（Ｒ）が入射されれば、再生光（Ｐｄ）及び周辺光（Ｐｎ）が出射される。
【００４７】
再生光（Ｐｄ）及び周辺光（Ｐｎ）は第１レンズ（６１０）を経つつ平行に進行され、第２レンズ（６２０）を通過しつつ光分離器（６３０）上に焦点が合うようになる。検出しようとするデータ情報を有する再生光（Ｐｄ）は光分離器（６３０）の中心に形成された貫通溝（６３０ａ）を通過し、再生光検出部（４００）に進行される。再生光検出部（４００）は再生光（Ｐｄ）の光情報を検出する。検出された光情報を用いて再生光（Ｐｄ）に含まれているデータ情報が再生できる。
【００４８】
周辺光検出器（６７０）は光分離器（６３０）の第２レンズ（６２０）と対面する面に設けられる。周辺光検出器（６７０）は光検出素子であるフォトダイオードを設けることによって実現できる。
【００４９】
周辺光検出器（６７０）は第２レンズ（６２０）から伝達される少なくとも一つ以上の周辺光（Ｐｎ）を検出する。このとき、周辺光検出器（６７０）は分割された光検出領域を用いて周辺光（Ｐｎ）が検出できる。
【００５０】
以下では、光情報再生装置のトラッキングサーボ動作に対して説明する。ここで、詳述された一実施例及び他の実施形態による光情報再生装置のトラッキングサーボ動作は類似する。従って、トラッキングサーボ動作に対しては光情報再生装置の一実施例の構成を参照して説明する。
【００５１】
図４は本発明の一実施例による再生光処理部（２００）の周辺光検出器（２７０）による光情報検出例を示す例示図であり、トラッキング位置が正確の時、周辺光検出器（２７０）によって一つの周辺光スポットイメージ（Ｐｎ１）が正確に検出された例を図示している。
【００５２】
図４に示されたように、周辺光検出器（２７０）は入射される８つの周辺光のスポットイメージのうち一つのスポットイメージ（Ｐｎ１）を完全に検出できる大きさに該当する光検出領域を有する。このとき、光検出領域は２つの領域、すなわち、光検出領域Ａと光検出領域Ｂに区分されてもよい。すなわち、周辺光検出器（２７０）は２分割光検出器を使用することができる。
【００５３】
図４に示されている例の場合、トラッキング状態が良好するので、１つの周辺光のスポットイメージ（Ｐｎ１）は光検出領域によって正確に検出される。従って、光検出領域Ａと光検出領域Ｂでは該当周辺光スポットイメージ（Ｐｎ１）の１／２だけの光が各々検出されるようになる。すなわち、トラッキングが正確の場合（On Track）、光検出領域Ａと光検出領域Ｂで検出される光強度は同一である。
【００５４】
図５は図４に示されている例で光情報格納媒体が所定距離移動した場合、光検出領域で検出されるイメージを示す例示図である。
【００５５】
このとき、移動とは光情報格納媒体（１）の回転を意味し、実際に周辺光のスポットイメージ（Ｐｎ１、Ｐｎ２）は光情報格納媒体（１）の回転半径に比べてはるかに小さいので、光情報の検出時には周辺光のスポットイメージ（Ｐｎ１、Ｐｎ２）が水平移動したこととみなしても関係ない。光情報格納媒体（１）が反時計方向に回転すると仮定すれば、周辺光のスポットイメージ（Ｐｎ１、Ｐｎ２）は左側へ移動すると見ることができる。従って、図５の上段に示されている矢印は光情報格納媒体（１）の移動方向を示す。
【００５６】
図５を参照すれば、光情報格納媒体（１）が少し回転して２つの周辺光のスポットイメージ（Ｐｎ１、Ｐｎ２）が半ずつ光検出領域に入ってきた。従って、２スポットイメージ間の距離によって光検出領域によって検出される光強度は上記図４で検出された光強度より小さくなる。
【００５７】
ところが、光検出領域Ａと光検出領域Ｂで検出される光強度は互いに同じである。すなわち、トラック位置が正常であれば、光検出領域Ａと光検出領域Ｂで検出される光強度は光情報格納媒体（１）の回転に関係なしに互いに同じ大きさを有する。
【００５８】
図６はトラッキングが正常の場合、光情報格納媒体の回転によって光検出領域Ａと光検出領域Ｂで検出される光強度を示すグラフである。図６に示されているグラフでＹ軸は光強度を示し、Ｘ軸は時間を示す。
【００５９】
図６に示されたように、トラッキング位置が正確の場合に、光検出領域Ａと光検出領域Ｂで検出される光強度は規則的に増加と減少を繰り返す。すなわち、上記説明した図４に示されているように周辺光のスポットイメージ（Ｐｎ１）が光検出領域の中間に正確に入ってくる場合、光強度が最大になり、図５に示されているように、２つの周辺光のスポットイメージ（Ｐｎ１、Ｐｎ２）が光検出領域に半分ずつ入ってくる場合、光強度が最小となる。
【００６０】
しかしながら、光検出領域Ａと光検出領域Ｂで検出される光強度はトラックの位置が正確であれば光情報格納媒体（１）の回転とは無関係に常に同じであるということを図６のグラフから確認することができる。
【００６１】
以下においてはトラッキング位置が正常な位置より上に移動した場合の、周辺光検出器の検出状態を説明する。
【００６２】
トラッキング位置が正常な位置より上に移動している場合、光検出領域Ａで検出される光強度が、光検出領域Ｂで検出される光強度より大きい。なぜならば、光検出領域Ａにはスポットイメージ（Ｐｎ１）の中心部分が検出され、光検出領域Ｂにはスポットイメージ（Ｐｎ１）と下部トラックに存在する再生光（Ｐｄ３）の一部が少しずつ検出されるためである。
【００６３】
従って、光検出領域Ａが光検出領域Ｂより大きい場合、トラッキングサーボ部（５００）を制御して周辺光検出部（２００）を移動させてトラッキング位置を下へ調整すべきである。
【００６４】
同じ概念で、光検出領域Ｂで検出される光強度が、光検出領域Ａで検出される光強度より大きい場合、トラックの位置が正常の場合より下へ移動したことであるので、この場合には周辺光検出部（２００）を移動させてトラッキング位置を上に移動させなければならない。
【００６５】
図８は上述した状態よりトラッキング位置がさらに下へ移動し、トラックが正常位置に比べて最大に外れた場合を図示している。
【００６６】
図８を参照すれば、検出しようとするトラックの位置が上述した位置よりさらに上に移動して光検出領域Ａで検出される光強度と光検出領域Ｂで検出される光強度が同一になったことが分かる。
【００６７】
この場合は光検出領域Ａと光検出領域Ｂの光強度が同じであるので、上記説明した図４に示されている状態と区分するのは難しくなるが、前後のトラック位置をモニターリングすれば、光検出領域Ａと光検出領域Ｂの光強度が同じであってもトラック位置が正常の場合とトラック位置が最大に外れた場合を判別できる。
【００６８】
図９はトラック位置が正常位置で徐々に上に移動する場合、光検出領域Ａと光検出領域Ｂの光強度の変化を示すグラフである。図９に示されているグラフでＹ軸は光強度を示し、Ｘ軸は時間を示す。
【００６９】
図９を参照すれば、“ａ”地点で光検出領域Ａの光強度と光検出領域Ｂの光強度が同じであり、これはトラッキング位置が正常の状態である。ところが、“ａ”地点以後からは光検出領域Ａの光強度が光検出領域Ｂの光強度より大きくなる。すなわち、これはトラッキング位置が上に移動しているということを意味する。
【００７０】
一方、トラック位置が継続して上に移動するによって、“ｂ”地点では光検出領域Ａの光強度と光検出領域Ｂの光強度が再び同一になる。この場合は図８に示されている状態と同じ場合と見られる。すなわち、トラッキング位置が上に最大に外れた場合を意味する。
【００７１】
このような“ａ”地点と“ｂ”地点は前後の光分布をモニターリングして区分できる。すなわち、“ｂ”地点の以前には光検出領域Ａの光強度が光検出領域Ｂの光強度よりも大きくなり、“ｂ”地点の以後には光検出領域Ａの光強度が光検出領域Ｂの光強度よりも小さくなる。従って、光検出領域Ａの光強度が光検出領域Ｂの光強度より大きくなったが小さくなる地点間に位置する光強度の同一点はトラックの位置が図８に示されたように上に移動した状態であると判別できるので、トラッキングサーボ部（５００）を通してトラックの位置を下へ調整することができる。
【００７２】
図１０は光検出領域Ａと光検出領域Ｂの光強度の差が有する変化を示すグラフであり、図９に示されている光強度の変化による光検出領域Ａと光検出領域Ｂの差をみせている。
【００７３】
図１０を参照すれば、“ａ”地点では光検出領域Ａと光検出領域Ｂの光強度が同じであるので、光強度の差値は“０”である。すなわち、トラックの位置が正常の場合を意味する。
【００７４】
以後、トラックの位置が上に移動しつつ光検出領域Ａと光検出領域Ｂの光強度差が大きくなったが減少して“ｂ”地点で再び同じになる。しかしながら、この場合は上記説明したように光強度の差が減る前後状態に位置する光強度の同一点であるので、前後の状態を考慮する時、図８に示されたように、トラックの位置が上に移動した状態を示す。従って、トラックの位置を下へ調整しなければならない。
【００７５】
このように、光検出領域Ａの光分布と光検出領域Ｂの光分布とをモニターリングすることによって、現在のトラッキング状態が判別でき、それに応じてトラッキングサーボ部（３００）を制御することによってトラッキング状態を調整するようになる。このような判別及び制御動作は、トラッキング位置判別部（３１０）、トラッキング位置制御部（３２０）及びトラッキング位置調整部（３３０）によって各々遂行できる。
【００７６】
一方、詳述した図４乃至図８では周辺光検出器（２７０）が光検出領域Ａと光検出領域Ｂを有する一つの２分割光検出器を備える場合を説明したが、実施環境によっては周辺光検出器（２７０）は複数の２分割光検出器又は２つを超過する光検出領域を有する光検出器を備えることができる。
【００７７】
図１１は４つの光検出領域を用いて周辺光のスポットイメージの光分布を検出する形態を示す例示図である。
【００７８】
図１１を参照すれば、光検出部は４つの光検出領域、例えば、光検出領域Ａ、光検出領域Ｂ、光検出領域Ｃ及び光検出領域Ｄを有する。すなわち、周辺光検出器（２７０）は２つの２分割光検出器を具備する。
【００７９】
この場合も光検出領域Ａと光検出領域Ｂで検出される光強度の差及び光検出領域Ｃと光検出領域Ｄで検出される光強度の差を考慮し、トラックの位置が判別できる。例えば、光検出領域Ａと光検出領域Ｂの光強度の差値と、光検出領域Ｃと光検出領域Ｄの光強度の差値を平均してトラッキング状態が判別できる。
【００８０】
また、このような光検出領域構造を利用すれば、光情報格納媒体（１）のトラックの最終又はトラックの最初が判別できる。
【００８１】
すなわち、光検出領域Ａと光検出領域Ｂで検出される光強度の和と、光検出領域Ｃと光検出領域Ｄで検出される光強度の和がほとんど差がなければ、現在検出されるトラックは光情報格納媒体（１）の最初トラック又は最終トラックでない中間トラックであると判別できる。なぜならば、中間トラックでは各トラックが比較的一定の光強度を有するためである。
【００８２】
反面、光検出領域Ａと光検出領域Ｂで検出される光強度の和と、光検出領域Ｃと光検出領域Ｄで検出される光強度の和が一定時間の間、多くの差を見せれば現在検出されるトラックが光情報格納媒体（１）の最初トラック又は最終トラックであると判別できる。なぜならば、光検出領域の最初トラック又は最終トラックではそのまさに以前トラック又は以後トラックで光情報が検出されないためである。
【００８３】
従って、複数の２分割光検出器を利用すればトラッキング状態の精密な判別が可能であるだけでなく最初トラックと最終トラックを検出することもできる。
【００８４】
図１２は本発明の一実施例による光情報再生方法のフローを説明するためのフローチャートであり、図１２に示されている光情報再生方法は上記説明した光情報再生装置を元に遂行できる。
【００８５】
図１２を参照すれば、まず、現在のトラッキング情報を得るためには周辺光（Ｐｎ）の光情報を得なければならない。従って、参照光提供部（１００）は光情報格納媒体（１）の再生記録領域及び周辺記録領域に参照光（Ｒ）を共に入射させる。（段階：Ｓ１０）。
【００８６】
このとき、参照光（Ｒ）により再生記録領域から再生光（Ｐｄ）が再生され、周辺記録領域から周辺光（Ｐｎ）が再生される。
【００８７】
このとき、周辺光（Ｐｎ）の光情報は周辺光検出部（２００）に備えられる分割された光検出領域を用いて検出できる。例えば、上記説明した通り、１つの周辺光（Ｐｎ）の光情報を２つの光検出領域を通して検出する。また、２つの周辺光（Ｐｎ）の光情報を各々２つの光検出領域を通して検出することもでき、この場合には最初トラックと最終トラックを判別することができる。このとき、２つの周辺光（Ｐｎ）は互いに異なるトラック（現在検出されるトラックの以前トラックと以後トラック）に存在するスポットによる再生光を意味する（段階：Ｓ２０）。
【００８８】
検出された周辺光（Ｐｎ）の光情報を分析して現在のトラッキング状態を判別し、トラッキングサーボ制御が必要かどうかを判別する。このとき、判別結果、トラッキングサーボの制御が必要であれば、現在のトラッキング位置を考慮してトラッキング位置を調整し、トラッキングサーボの制御が必要でなければ現在のトラッキング状態を維持する。
【００８９】
例えば、２つの光検出領域で検出される光強度の差異を算出して光強度の差異がない場合、現在のトラッキング状態を維持し、反面、光強度の差異が発生された場合、現在のトラッキング位置を考慮してトラッキングサーボ制御を遂行する。すなわち、トラッキング調整を遂行することである。
【００９０】
例えば、トラックの位置が正常より上に移動した場合は、トラッキングサーボ制御を通してトラッキング位置を下へ移動させ、トラックの位置が正常より下へ移動した場合、トラッキング位置を上に移動させる。
【００９１】
このように、トラックの位置が調整され、正常のトラッキング状態で再生される再生光の光情報を検出し、再生光に含まれたデータを再生することによって、所望の記録領域の光情報を取得できる（段階：Ｓ４０）。
【図面の簡単な説明】
【００９２】
【図１】本発明の一実施例による光情報再生装置を簡略に示す構成図である。
【図２】図１に示されている光分離器の形態を示す斜視図である。
【図３】本発明の他の実施形態による光情報再生装置を示す構成図である。
【図４】図２に示されている再生光処理部の周辺光検出器による光検出例を示す例示図である。
【図５】図４に示されている例で光情報格納媒体が所定距離移動した場合、光検出領域で検出されるイメージを示す例示図である。
【図６】トラッキングが正常の場合、光情報格納媒体の回転によって光検出領域Ａと光検出領域Ｂで検出される光強度を示すグラフである。
【図７】トラッキングが正常の場合、光情報格納媒体の回転によって光検出領域Ａと光検出領域Ｂで検出される光強度を示すグラフである。
【図８】トラック位置がさらに上に移動し、トラックが正常位置に比べて最大に外れた場合を示す例示図である。
【図９】トラック位置が正常位置で徐々に上に移動する場合、光検出領域Ａと光検出領域Ｂの光強度の変化を示すグラフである。
【図１０】光検出領域Ａと光検出領域Ｂの光強度の差が有する変化を示すグラフである。
【図１１】４つの光検出領域を用いて周辺光のスポットイメージの光分布を検出する形態を示す例示図である。
【図１２】本発明の一実施例による光情報再生方法のフローを説明するためのフローチャートである。
【符号の説明】
【００９３】
１００ 参照光提供部
２００ 周辺光検出部
２４０ 偏光光分割器
２５０ λ／４波長板
２６０ 光分離器
２７０ 周辺光検出器
３００ トラッキングサーボ部
４００ 再生光検出部
【図１】
0004680224.tif 000002
【図２】
0004680224.tif 000003
【図３】
0004680224.tif 000004
【図４】
0004680224.tif 000005
【図５】
0004680224.tif 000006
【図６】
0004680224.tif 000007
【図７】
0004680224.tif 000008
【図８】
0004680224.tif 000009
【図９】
0004680224.tif 000010
【図１０】
0004680224.tif 000011
【図１１】
0004680224.tif 000012
【図１２】
0004680224.tif 000013